(57)【要約】      （修正有）【課題】補綴物を作製するための補綴部位の歯形ブロックが確実かつ容易に可撤出来、正確に復元出来る歯科技工のための補綴物製作用可撤模型の基台を提供する。【解決手段】歯形模型１が載置固定される表面が平面の歯形模型載置部２１と該載置部の両側面に前記歯形模型の歯列方向とほぼ同じ方向に連続して設けられ、その断面がＵ字形に形成され内側に凹凸が連続的に設けられた結合部２２，２３とを有するフレーム部材２と、フレーム部材の結合部と嵌合する凹凸が側面に連続形成されている嵌合部２１を上部に有し、フレーム部材を離脱可能に固定保持する台座部材３とより成る撤模型の基台を実現する。【選択図】    図１
2005013421.tif 000002
【特許請求の範囲】
【請求項１】
歯形模型が載置固定される表面が平面の歯形模型載置部と該載置部の両側面に前記歯形模型の歯列方向とほぼ同じ方向に連続して設けられ、その断面がＵ字形に形成され内側に凹凸が連続的に設けられた結合部とを有するフレーム部材と、該フレーム部材の結合部と嵌合する凹凸が側面に連続形成されている嵌合部を上部に有し下部に台座を有して前記フレーム部材を離脱可能に固定保持する台座部材とより成り、
前記フレーム部材の結合部は前記台座部材の嵌合部と嵌合してフレーム部材のＵ字形の断面の台座部材との嵌合により前記フレーム部材と前記台座部材の歯列方向と直交する方向のずれを防止し、
フレーム部材の結合部に連続形成されている凹凸と台座部材の嵌合部の側面に連続形成されている凹凸とのとの嵌合により前記フレーム部材と前記台座部材とのとの歯列方向のずれを防止するようにしたことを特徴とする歯科技工のための補綴物製作用可撤模型の基台。
【請求項２】
歯形模型が載置固定される表面が平面の歯形模型載置部と該載置部の側面とその中間に前記歯形模型の歯列方向とほぼ同じ方向に連続して設けられその断面がＥ字形に形成され内側に凹凸が連続的に設けられたフレーム部材と、
該フレーム部材の結合部と嵌合する凹凸が側面とその中間にに連続形成されている嵌合部を上部に有し下部に台座を有して前記フレーム部材を離脱可能に固定保持する台座部材とより成り、
前記フレーム部材の結合部は前記台座部材の嵌合部と嵌合してフレーム部材のＥ字形の断面の台座部材との嵌合により前記フレーム部材と前記台座部材の歯列方向と直交する方向のずれを防止し、
フレーム部材の結合部に連続形成されている凹凸と台座部材の嵌合部の側面に連続形成されている凹凸とのとの嵌合により歯列方向のずれを防止しするようにしたことを特徴とする歯科技工のための補綴物製作用可撤模型の基台。
【請求項３】
歯形模型が載置固定される表面が平面の歯形模型載置部と該載置部の両側面に前記歯形模型の歯列方向とほぼ同じ方向に連続して設けられその断面がＵ字形に形成され内側に一定の間隔で突起が設けられた結合部とを有するフレーム部材と、
該フレーム部材の結合部の突起と嵌合する凹部が一定の間隔で側面に形成されている嵌合部を上部に有し下部に台座を有して前記フレーム部材を離脱可能に固定保持する台座部材とより成り、
前記フレーム部材の結合部は前記台座部材の嵌合部と嵌合してフレーム部材のＵ字形の断面の台座部材との嵌合により前記フレーム部材と前記台座部材の歯列方向と直交する方向のずれを防止し、
フレーム部材の結合部に一定の間隔で設けられた突起と台座部材の嵌合部の側面に一定の間隔で形成されている凹部との嵌合により前記フレーム部材と前記台座部材とのとの歯列方向のずれを防止するようにしたことを特徴とする歯科技工のための補綴物製作用可撤模型の基台。
【請求項４】
歯形模型が載置固定される表面が平面の歯形模型載置部と該載置部の両側面に前記歯形模型の歯列方向とほぼ同じ方向に連続して設けられその断面がＵ字形に形成され内側に複数のピンが形成されている結合部とを有するフレーム部材と、該フレーム部材の結合部と嵌合する凹凸が両側面に連続形成され両側面の間にフレーム部材の複数のピンが挿入される複数の孔が形成されている嵌合部を上部に有し下部に台座を有して前記フレーム部材を離脱可能に固定保持する台座部材とより成り、
前記フレーム部材の結合部は前記台座部材の嵌合部と嵌合してフレーム部材のＵ字形の断面の台座部材との嵌合により前記フレーム部材と前記台座部材の歯列方向と直交する方向のずれを防止し、
フレーム部材の結合部に連続形成されている凹凸と台座部材の嵌合部の側面に連続形成されている凹凸とのとの嵌合と複数のピンと台座部材の嵌合部の複数のピンが挿入される孔との嵌合により前記フレーム部材と前記台座部材とのとの歯列方向のずれを防止するようにしたことを特徴とする歯科技工のための補綴物製作用可撤模型の基台。
【請求項５】
請求項１乃至請求項４において、フレーム部材は、前歯から奥歯まで含むようなラウンド型の歯型模型が載置固定される形状に形成されていることを特徴とする歯科技工の作業治具。
【請求項６】
請求項１乃至請求項４において、フレーム部は、部分歯型模型が載置固定される形状に形成されていることを特徴とする歯科技工の作業治具。
【請求項７】
請求項１乃至４において、フレーム部材と台座部材の嵌合部に形成された凹凸の横断面は、半円弧状をなしていることを特徴とする歯科技工の作業治具。
【発明の詳細な説明】
【０００１】
【発明の属する技術分野】
本発明は、歯科技工の歯科補綴物等を作製する場合に用いる歯科技工用可撤模型の基台に関する。
本発明の歯科技工用可撤模型の基台は、技工作業の作業性を向上し、歯形ブロックの切り出しが確実かつ容易にでき、復元が正確に出来るようにしたものである。
【０００２】
【従来の技術】
歯科技工において歯の鋳造冠等を作成する場合には、鋳造冠等の歯との嵌合状態を調べながら作成作業を行なっう必要があるため、鋳造冠等を作成する周辺の歯が作業の邪魔にならないように、対象の歯の補綴部位だけを他の歯から分割して取りだして作業を行っている。又、製作した鋳造冠等は、その周辺の歯との干渉の有無を調べるために、取り出した歯の位置関係を分割前と同様に再現して、隣接する歯と歯の間の調整が行なわれている。
このような作業を行うために、従来、患者の口腔からとった歯形陰型に基づいて石膏で印象した歯列模型を形成し、この歯列模型の下面を平坦に削って孔をあけ、ピンを挿入して固着し、予め石膏ペーストを充填した基台用型に入れて、石膏ペーストが硬化した後、脱型して作業模型を作製し補綴物を作製するための成形型用歯形ブロックを作業模型から切り出すような作業が行われている。
しかしながら、このような方法では作業模型を製作するために石膏ペーストを使用しているために、石膏の硬化に２時間から長い場合には２４時間を必要とし、時間ロスが発生し製作時間が長くかかっている。
【０００３】
この製作時間を短縮するために、印象模型と予め製作されている基台との間に、多数のピンを整列配置した中間部材を介在させて、印象模型を基台に固着する各種の提案が行われている（特開平６−２２９８８号公報、特公平６−６１３４３号公報、特開平１０−２０１７７４号公報）。
例えば特公平６−６１３４３号公報には、図７に示すような歯科技工のための作業治具が開示されている。この作業治具は、ベース１２および台座１４から構成されている。ベース１２は、表面に多数のピンが挿入される孔１３が設けられている。台座１４のベース１２の接触面にはピン１３と嵌合する多数の嵌合穴１５が設けられている。
この方式の作業治具は、以下のようにして使用され。
歯形模型１を台座１４に接着する。その後、鋳造冠を作成する歯の両側で、台座１４と共に歯形模型１の所定の位置でスリットをいれる。これにより対象の歯だけを自由に取り出すことができる。また、ピン１３とその嵌合穴１５によって、ベース１２と台座１４が位置決めされているので、他の歯に対して取り出した歯の位置関係を再現できる。
この方式の作業治具では、石膏の硬化時間が不要なために、製作時間を短縮することが可能である。
【０００４】
しかしながら、これらのピンを使用した作業治具には以下のような問題点があった。第１に、歯科技工の対象の歯型の各歯が小さい場合、カットする幅が狭くなると切り出しの際にピンの嵌合穴を切断してたり、カットする位置において、台座１４とベース１２が位置決め用のピン１３が含まれない状態でカットされてしまう場合がある。このようなカットがおこなわれると、カットされた歯と隣接する歯との位置決めができなくなる。
また、このような作業治具は、作業性が悪いという問題もある。例えば、鋳造冠を製造する場合には、カットされた歯の模型を取り出し、作業者はこれを片手で支持して作業を行なうが、支持する部分は台座１４の板状の部分だけとなるので、非常に持ちにくく作業を行ないにくい。また、台座１４からベース１２の一部を頻繁に抜きさしを行なって、コンタクトポイントの調整を行なう場合に、台座１４の薄い部分を持って行なうので作業がしにくいという問題があった。
【０００５】
上記の課題を解決するため、特開２０００−２４５７４９号公報には、図８に示すように、歯形模型１が載置される第１の土台部材１６に、載置部１６ａと載置部１６ａから突出する歯形模型の歯列方向とほぼ同じ方向に連続した一体形状に形成された脚部１６ｂをを設け、第１の土台部材１６の脚部１６ｂが挿入嵌合できる孔部１７ａを有し第１の土台部材を離脱可能に固定保持する第２の土台部材１７とを使用した歯科技工の作業治具が提案されている。
この作業治具は、第１の土台部材１６と第２の土台部材１７とには、歯列方向のずれを防止する凹凸１６ｃ，１７ｂが連続形成されており、第１の土台部材１６および第２の土台部材１７には、互いに嵌合することにより、第１の土台部材１６と第２の土台部材１７とのずれを防止するようにしたものである。
しかしながら、歯科技工の作業治具では、補綴物を作製するための歯形ブロックを切り出す際に、隣接する歯形部との間を完全に切り離さないと、作業模型から歯形ブロックだけを分離することができないが、図８に示すような作業治具では、第１の土台部材１６の脚部１６ｂが、第１の土台部材１６を離脱可能に固定保持するために第２の土台部材１７の孔部１７ａに深く挿入されているために、第１の土台部材１６および第２の土台部材１７とを嵌合した状態でカッタで切断すると第２の土台部材１７の深くまで切り込まないと歯形ブロックを切り離すことができないので第２の土台部材１７が不安定になる。これを避けるために、第１の土台部材１６を第２の土台部材１７から分離してカットを行うとカットされた歯と隣接する歯との位置決めが正確にできなくなるという問題がある。
【０００６】
【発明が解決しようとする課題】
上記のように、歯科技工の歯科補綴物等を作製する場合に用いる歯科技工用可撤模型の基台に関しては、各種の提案が行われているが、作業性が良く歯形ブロックの切り出しが確実かつ容易にでき、正確に元の状態が復元出来るるというようなすべての条件を満たす基台はまだ存在していない。
このため、患者の歯形陰型に基づいて石膏で印象した歯列模型から、補綴物を作製するための補綴部位の歯形ブロックが確実かつ容易に可撤出来、正確に復元出来る歯科技工のための補綴物製作用可撤模型の基台の実現が強く求められている。
【０００７】
【課題を解決するための手段】
本発明は、歯形模型が載置固定される表面が平面の歯形模型載置部と該載置部の両側面に前記歯形模型の歯列方向とほぼ同じ方向に連続して設けられ、その断面がＵ字形に形成され内側に凹凸が連続的に設けられた結合部とを有するフレーム部材と、フレーム部材の結合部と嵌合する凹凸が側面に連続形成されている嵌合部を上部に有し、フレーム部材を離脱可能に固定保持する台座部材とより成り、フレーム部材の結合部は、台座部材の嵌合部と嵌合して、フレーム部材のＵ字形の断面の台座部材との嵌合によりフレーム部材と台座部材の歯列方向と直交する方向のずれを防止し、フレーム部材の結合部に連続形成されている凹凸と台座部材の嵌合部の側面に連続形成されている凹凸とのとの嵌合によりフレーム部材と前記台座部材とのとの歯列方向のずれを防止するようにした歯科技工のための補綴物製作用可撤模型の基台を実現することにより従来の問題を解決したものである。
【０００８】
【発明の実施の形態】
【実施例】
本発明の歯科技工のための補綴物製作用可撤模型の基台の実施例を図面に基づいて説明する。
図１は、本発明の歯科技工のための補綴物製作用可撤模型の基台の一実施例の構成を示したものである。
図１において、１は歯形模型である。歯形模型１は、患者の口腔からとった歯形陰型に基づいて石膏で印象した歯列模型を形成したもので、この歯列模型の下面は平坦に削ってある。
２は歯形模型が載置固定されるフレーム部材である。フレーム部材２は、歯形模型１が載置接合されるされる表面が平面の歯形模型載置部２１と、載置部２１の両側面に、その内側に凹凸が連続的に設けられた断面がＵ字形に形成された結合部２２，２３とを有する。フレーム部材２の結合部２２．２３は、歯形模型１の歯列方向とほぼ同じ方向に連続して設けられている。
フレーム部材２は、成型が容易で変形しにくく、通常の歯科技工用のノコによる切断が容易な硬質性のプラスチックが使用される。
【０００９】
３は台座部材である、台座部材３は、台座３４の上部に、フレーム部材２の結合部２２，２３と嵌合する凹凸部３２，３３が側面に連続形成されている嵌合部３１を有し、フレーム部材２を離脱可能に固定保持する。
フレーム部材２と台座部材３の嵌合部３１に形成された凹凸の横断面は、半円弧状をなしている。
台座部材３は、成型が容易で変形しにくく、通常の歯科技工用のノコによる切断が容易な石膏が使用される。
フレーム部材２の載置面２１には歯形模型１が接着される。この場合、歯形模型１の底面とフレーム部材２の載置面２１はほぼ同形になるように形成してあるので、フレーム部材２の載置面２１と歯形模型１の底面は重なり合う。このために、フレーム部材２の載置面２１の成形型の形状、サイズを予めそのように標準設計しておくことによって可能である。勿論数種類のフレーム部材２の載置面２１を用意しておき、適当なサイズのものを選択することもできる。
【００１０】
フレーム部材２の結合部２２，２３と台座部材３の凹凸部３２，３３とが嵌合するすることにより、フレーム部材２と台座部材３は一体に結合し、フレーム部材２の結合部のＵ字形の断面と台座部材３の嵌合部３１との嵌合により、フレーム部材２と台座部材３との、歯列方向と直交する方向のずれを防止し、フレーム部材２の結合部に連続形成されている凹凸２２，２３と台座部材３の嵌合部３１の側面に連続形成されている凹凸３２，３３との嵌合によりフレーム部材２と台座部材３とのとの歯列方向のずれを防止するようにしている。
次に、本発明の歯科技工のための補綴物製作用可撤模型の基台支台を使用して鋳造冠を作成する場合の例を図２、図３により説明する。
先ず、フレーム部材２の結合部２２，２３と台座部材３の凹凸部３２，３３とを嵌合するすることにより、フレーム部材２と台座部材３は一体に結合する。
次に、歯形模型１を、フレーム部材２の載置部２１に接着剤等で接着する。
【００１１】
図２の（ａ）は、フレーム部材２と台座部材３は一体に結合され、歯形模型１を、フレーム部材２の載置部２１に接着された状態を示したものである。図２の（ｂ）は、フレーム部材２と台座部材３は一体に結合され、歯形模型１を、フレーム部材２の載置部２１に接着された状態の、歯列方向と直交する方向の断面図を示し、図２の（ｃ）は歯列方向の断面図を示したものである。
図２において、図１と同一の部分には同一の符合を付けてその説明を省略する。図２の（ａ）（ｃ）に示すように、鋳造冠を作成する対象である支台歯１ａの両側の面でＸ，Ｙの切り目をいれて歯型模型１およびフレーム部材２を切断分割する。
この分割作業は、フレーム部材２と台座部材３は一体に結合された状態で、通常の歯科技工用のノコを用いて歯形模型１とフレーム部材２を、フレーム部材２と台座部材３との結合部分まで切れ目をいれることにより、歯型模型１およびフレーム部材２が確実に切り離され切断分割される。
切り目Ｘ，Ｙは、台座部材３の台座３４まで入れる必要はない。フレーム部材２と台座部材３との結合部分まで切り目が達すると、歯型模型１およびフレーム部材２が完全に切断されたことが目視で判別できる。
【００１２】
歯型模型１およびフレーム部材２を切断した状態では、図２の（ｂ）に示すように、歯型模型１およびフレーム部材２の各セグメントは、フレーム部材２の結合部２２，２３と台座部材３の凹凸部３２，３３との嵌合によって、歯列方向と直交する方向の位置決めが行なわれ、図２の（ｃ）に示すように、フレーム部材２の結合部に連続形成されている凹凸２２，２３と台座部材３の嵌合部３１の側面に連続形成されている凹凸３２，３３との嵌合によりフレーム部材２と台座部材３とのとの歯列方向の位置決めが行なわれる。
フレーム部材２と台座部材３が一体に結合された状態で切断を行うことが出来るので、フレーム部材２の結合部に連続形成されている凹凸２２，２３と台座部材３の嵌合部３１の側面に連続形成されている凹凸３２，３３とぴったりと密着しているために、切り出した歯形ブロックを台座部材３から抜き取った後、再び嵌め込む等の取り扱い時に位置ずれが生じることがなく、歯科補綴物等の咬合等に狂いが生じない。
図２に示す分割作業によって、図３に示すように、歯形模型１が接着されたフレーム部材２は、１ａ，１ｂ，１ｃの３つのセグメントに分割される。
鋳造冠の作業作業を行なう場合には、図３の（ａ）に示すように、歯形模型１とレーム部材２の３つのセグメント１ａ，１ｂ，１ｃをそれぞれ台座部材３より取り外す。
【００１３】
台座部材３には、図３の（ｂ）に示すように、凹凸部３２，３３の位置まで切り溝Ｘ，Ｙが出来るが、台座部材３は台座３４により分割されないで一体に保持されている。
鋳造冠の作業が終了し、コンタクトポイントの調整等を行なう場合には、歯形模型１とレーム部材２の３つのセグメント１ａ，１ｂ，１ｃを、再度台座部材３に挿入する。この場合、歯形模型１とレーム部材２の３つのセグメント１ａ，１ｂ，１ｃフレーム部材２の結合部２２，２３のＵ字形の断面と台座部材３の凹凸部３２，３３が嵌合することによって、フレーム部材２と台座部材３との、歯列方向と直交する方向の位置決めが行なわれる。又、フレーム部材２の結合部に連続形成されている凹凸２２，２３と台座部材３の嵌合部３１の側面に連続形成されている凹凸３２，３３との嵌合によりフレーム部材２と台座部材３とのとの歯列方向の位置決めが行なわれる。
このように、レーム部材２の結合部と台座部材３の嵌合部３１とは連続的に形成されているので、歯形模型１をどのように分割した場合、特に小さな歯を分割した場合でも、結合部が除かれて分割されることが無いので、カットされた歯と隣接する歯との位置決めが正確に行なうことができる。
また、フレーム部材２は、載置部２１の両側面に形成されたＵ字形の結合部２２，２３とを有しているので、作業者が実際作業をする場合に結合部２２，２３の一部を持ち、支台歯１ａ等の作業を行なうことができる。したがって、鋳造冠等の作成作業を容易に行なうことができる。
結合部２２，２３はその内側に凹凸が連続的に設けられているので台座部材３への挿入が容易となる。このように、歯列方向と直交する方向の位置決めと、歯列方向の位置決めとを別々の部分で行なうことによって、支台歯１ａ等の挿入が容易で、かつ確実な位置を行うことが出来る。
結合部２２，２３と台座部材３の凹凸は、挿入方向と同じ方向に平行でないので、凹凸により接触初期の位置合わせが容易に正確におこなうことが出来る。
【００１４】
図４は、本発明の他の実施例の構成を示した図である。
図４において、図１と同一の部分には同一の符合を付けてその説明を省略する。図４は、歯形模型１を、フレーム部材２の載置部２１に接着された状態の断面図を示したもので、（ａ）は歯列方向と直交する方向の断面図を示し、（ｂ）は歯列方向の断面図を示したものである。
図４の実施例は、図１から図３に示した実施例のフレーム部材の構成を変更したものである。
図４の実施例では、歯形模型１が載置固定されるされるフレーム部材２の載置部２１の側面の周辺２２，２３とその中間２４に連続的に形成され内側に凹凸が連続的に設けられた断面Ｅ字形の結合部を使用し、結合をより確実にしたものである。
このため、台座部材３には、フレーム部材２の結合部と嵌合する側面の凹凸３２，３３とその中間の凹凸３５が連続形成されている嵌合部３１が台座３４の上部に設けられている。
フレーム部材２の結合部２２，２３，２４は、前記歯形模型の歯列方向とほぼ同じ方向に連続してその両側面設けられ、台座部材３の嵌合部３１と嵌合して、フレーム部材２と台座部材３との、歯列方向と直交する方向のずれを防止し、フレーム部材２の結合部２２，２３，２４に連続形成されている凹凸と、台座部材３の嵌合部３１に連続形成されている凹凸３２，３３，３５とによりフレーム部材２と台座部材３とのとの歯列方向のずれを防止するようにしたものである。
図４の構成の歯科技工の作業治具は、歯列方向と直交する方向のずれと、歯列方向のずれをより確実に防止することが出来る。
【００１５】
図５は、本発明の更に他の実施例の構成を示した図である。
図５において、図１と同一の部分には同一の符合を付けてその説明を省略する。図５は、歯形模型１を、フレーム部材２の載置部２１に接着された状態の断面図を示したもので、（ａ）は歯列方向と直交する方向の断面図を示し、、（ｂ）は歯列方向の断面図を示したものである。
図５の実施例は、図１から図３に示した実施例のフレーム部材の構成を変更したものである。
図５の実施例では、歯形模型１が載置固定されるされるフレーム部材２の表面が平面の歯形模型載置部２１と該載置部２１の側面の周辺に断面がＵ字形に形成され、その内側に一定の間隔で突起２５が設けられた結合部２２，２３とを設けたフレーム部材を使用し結合をより確実にしたものである。このため、台座部材３は、フレーム部材２の結合部２２，２３の突起２５と嵌合する凹部が一定の間隔で側面に形成されている嵌合部３１を台座３４の上部に有し、フレーム部材２を離脱可能に固定保持する。
フレーム部材２の結合部は、歯形模型の歯列方向とほぼ同じ方向に連続してその両側面設けられ、台座部材３の嵌合部３１と嵌合して、フレーム部材２と台座部材３との歯列方向と直交する方向のずれを防止する。
フレーム部材２の結合部に一定の間隔で設けられた突起と台座部材３の嵌合部３１の側面に一定の間隔で形成されている凹部とが嵌合して、フレーム部材２と台座部材３とのとの歯列方向のずれを防止する。
図５の構成の歯科技工の作業治具は、歯列方向と直交する方向のずれと、歯列方向のずれをより確実に防止することが出来る。
【００１６】
図６は、本発明の更に他の実施例の構成を示した図である。
図６において、図１と同一の部分には同一の符合を付けてその説明を省略する。図６は、歯形模型１を、フレーム部材２の載置部２１に接着された状態の断面図を示したもので、（ａ）は歯列方向と直交する方向の断面図を示し、、（ｂ）は歯列方向の断面図を示したものである。
図６において、図１と同一の部分には同一の符合を付けてその説明を省略する。図６の実施例は、図１から図３に示した実施例のフレーム部材の構成を変更したものである。
図６の実施例では、歯形模型１が載置固定されるされるフレーム部材２の表面が平面の歯形模型載置部２１と該載置部の側面の周辺に連続的に形成され内側に凹凸が連続的に設けられ、その間に複数のピン２６が形成されている結合部２２，２３を設けたフレーム部材２を使用し、結合をより確実にしたものである。
このため、台座部材３は、フレーム部材２の結合部２２，２３と嵌合する凹凸が両側面に連続形成され、両側面の間にフレーム部材の複数のピン２６が挿入される複数の孔が形成されている嵌合部３１を台座３４の上部に有し、フレーム部材２を離脱可能に固定保持する用にしている。
フレーム部材２の結合部は、歯形模型の歯列方向とほぼ同じ方向に連続してその両側面設けられ、台座部材３の嵌合部３１と嵌合して、フレーム部材２と台座部材３との、歯列方向と直交する方向のずれを防止している。
フレーム部材２の結合部の複数のピン２６と台座部材３の嵌合部３１の複数のピンが挿入される孔とによりフレーム部材２と台座部材３とのとの歯列方向のずれを防止するようにしている。
【００１７】
図６の構成の歯科技工の作業治具は、歯列方向と直交する方向のずれと、歯列方向のずれをより確実に防止することが出来る。
尚、上記の実施例おいては、フレーム部材２に硬質性のプラスチックを使用し、台座部材３には石膏を使用する例について説明したが、フレーム部材２と台座部材３の材料はこれに限定されるものではなく、成型が容易で変形しにくく、通常の歯科技工用のノコによる切断が容易な材質であればどのようなものであってもよい。
又、上記の実施例おいては、フレーム部材と台座部材の嵌合部に形成された凹凸の横断面は、半円弧状をなしているれいについて説明したが、凹凸の横断面形状は、これに限定されるものではなく結合が保持できる任意の形状賭することが可能である。
又、上記の説明においては、前歯から奥歯まで含むようなラウンド型の歯型模型の場合について説明したが、本発明はこれに限定されるものではなく、部分歯型模型の場合にも適用することが出来る。この場合には、レーム部材と台座部材の形状は部分歯型に応じた形状とすることが出来る。
【００１８】
【発明の効果】
以上の説明より明らかなように、本発明の歯科技工のための補綴物製作用可撤模型の基台は、歯形模型が載置固定される表面が平面の歯形模型載置部と載置部の両側面に歯形模型の歯列方向とほぼ同じ方向に連続して設けられ、その断面がＵ字形に形成され内側に凹凸が連続的に設けられた結合部とを有するフレーム部材と、フレーム部材の結合部と嵌合する凹凸が側面に連続形成されている嵌合部を上部に有し、フレーム部材を離脱可能に固定保持する台座部材とより成り、フレーム部材の結合部は、台座部材の嵌合部と嵌合して、フレーム部材のＵ字形の断面の台座部材との嵌合によりフレーム部材と台座部材の歯列方向と直交する方向のずれを防止し、フレーム部材の結合部に連続形成されている凹凸と台座部材の嵌合部の側面に連続形成されている凹凸とのとの嵌によりフレーム部材と前記台座部材とのとの歯列方向のずれを防止するようにしたものである。
このため、本発明の歯科技工のための補綴物製作用可撤模型の基台は、患者の歯形陰型に基づいて石膏で印象した歯列模型から、補綴物を作製するための補綴部位の歯形ブロックが正確に可撤出来、正確に復元出来、完成した歯科補綴物の精度が高くなる利点を有する。
【図面の簡単な説明】
【図１】本発明の歯科技工のための補綴物製作用可撤模型の基台の一実施例の構成を示したものである。
【図２】本発明の歯科技工のための補綴物製作用可撤模型の基台支台を使用して鋳造冠を作成する場合の例をしたものである。
【図３】本発明の歯科技工のための補綴物製作用可撤模型の基台支台を使用して鋳造冠を作成する場合の例をしたものである。
【図４】本発明の他の実施例の構成を示した図である。
【図５】本発明の更に他の実施例の構成を示した図である。
【図６】本発明の更に他の実施例の構成を示した図である。
【図７】従来の歯科技工のための作業治具を示した図である。
【図８】従来の歯科技工のための作業治具を示した図である。
【符号の説明】
１・・・歯形模型，
２・・・歯形模型が載置固定されるフレーム部材，
２１・・・歯形模型載置部，
２２，２３，・・・結合部，
２４・・・中間の結合部
２５・・・結合部２２，２３の突起，
２６・・・複数のピン，
３・・・台座部材，
３１・・・嵌合部，
３２，３３・・・凹凸部，
３４・・・台座，
３５・・・嵌合部３１の中間の凹凸，
Ｘ，Ｙ・・・切り目，
１ａ，１ｂ，１ｃ・・・歯形模型とフレーム部材のセグメント，
１２・・・ベース，
１３・・・ピン，
１４・・・台座，
１５・・・ピンと嵌合する嵌合穴，
１６・・・第１の土台部材，
１６ａ・・・載置部，
１６ｂ・・・脚部，
１７・・・第２の土台部材，
１７ａ・・・脚部１６ｂが挿入嵌合できる孔部，
【図１】
2005013421.tif 000003
【図２】
2005013421.tif 000004
【図３】
2005013421.tif 000005
【図４】
2005013421.tif 000006
【図５】
2005013421.tif 000007
【図６】
2005013421.tif 000008
【図７】
2005013421.tif 000009
【図８】
2005013421.tif 000010